(57)【要約】      （修正有）【課題】アシスト機構付き引き出しに関し、高齢者に優しく、かがみ込みが不要で、小荷重の踏み込みで必要な引き出し量の確保をすること。【解決手段】固定枠体２０、引き出し３０、スライド手段４０、アシスト機構６０から構成され、アシスト機構６０は、引き出し３０の前方又は、固定枠体２０の前方のいずれか一方に設けられ、軸支されるとともに、旋回しながら引き出し３０の前方又は、固定枠体２０の前方のいずれか他方を押圧する作動アーム１１０、ペダル踏み込みの操作により作動アーム１１０を旋回させる駆動力伝達機構から構成する。作動アーム１１０の先端部は、引き出し３０を閉止位置からアシスト機構６０によって押し出すにつれ、固定枠体２０との接触領域が作動アーム１１０の旋回中心から遠ざかっていくようにした。【選択図】図１
2016077443.tif 000002
【特許請求の範囲】
【請求項１】
固定枠体と、
前記固定枠体に収納される引き出しと、
前記引き出しを前記固定枠体に対して進退自在に支承するスライド手段と、
ペダル踏み込みの操作により、前記引き出しを前記固定枠体から押し出すアシスト機構とから構成され、
前記アシスト機構は、
前記引き出しの前方又は、前記固定枠体の前方のいずれか一方に設けられ、軸支されるとともに、旋回しながら前記引き出しの前方又は、前記固定枠体の前方のいずれか他方を押圧する作動アームと、
前記ペダル踏み込みの操作により前記作動アームを旋回させる駆動力伝達機構とから構成され、
前記作動アームの先端部は、
前記引き出しを閉止位置からアシスト機構によって押し出すにつれ、前記固定枠体との接触領域が前記作動アームの旋回中心から遠ざかっていくことを特徴とするアシスト機構付き引き出し。
【請求項２】
固定枠体と、
前記固定枠体に収納される引き出しと、
前記引き出しを前記固定枠体に対して進退自在に支承するスライド手段と、
ペダル踏み込みの操作により、前記引き出しを前記固定枠体から押し出すアシスト機構とから構成され、
前記固定枠体と前記引き出しとの間には、
前記引き出しが前記固定枠体に収納される直前に、前記引き出しを前記固定枠体の収納方向に後退させる引き込み機構を備え、
前記アシスト機構は、
前記引き出しの前方又は、前記固定枠体の前方のいずれか一方に設けられ、軸支されるとともに、旋回しながら前記引き出しの前方又は、前記固定枠体の前方のいずれか他方を押圧する作動アームと、
前記ペダル踏み込みの操作により前記作動アームを旋回させる駆動力伝達機構とから構成され、
前記作動アームは、
前記引き込み機構の作動領域においては、軸支部に近い位置で押し出し、
その後、前記軸支部から徐々に遠い位置で押し出すことを特徴とするアシスト機構付き引き出し。
【請求項３】
前記アシスト機構は、
前記引き出しの前方の鏡板裏又は、固定枠体の前方の側板のいずれか一方に設けられ、他方を押し出すように構成されたことを特徴とする請求項１又は請求項２に記載のアシスト機構付き引き出し。
【請求項４】
前記作動アームには、
長さの途中に屈曲部を備え、
前記屈曲部と、当該屈曲部をはさんで軸支部と反対側に位置するアーム端部が、押圧曲面とされていることを特徴とする請求項１〜３のいずれか１項に記載のアシスト機構付き引き出し。
【請求項５】
前記アーム端部と前記屈曲部には、
回動ローラが設けられたことを特徴とする請求項４に記載のアシスト機構付き引き出し。
【請求項６】
前記駆動力伝達機構は、
前記ペダル踏み込みの操作を、前記作動アームの旋回の動きに変換するリンク機構又は、ギアの組み合わせ機構から構成していることを特徴とする請求項１〜５のいずれか１項に記載のアシスト機構付き引き出し。
【発明の詳細な説明】
【技術分野】
【０００１】
この発明は、アシスト機構付き引き出しに関し、高齢者に優しく、かがみ込みが不要で、小荷重の踏み込みで必要な引き出し量の確保が可能なものである。
【背景技術】
【０００２】
従来、引き出しを収納する固定枠体の内部の奥に、モータやスプリング等の駆動手段を内蔵し、これらの駆動力を使用して作用アームを旋回させて引き出しを押し出す「アシスト付き引き出し装置」が知られている（特許文献１の段落番号「００３０」、「００３２」及び「００４３」、並びに図１、図７、図１１及び図１２参照）。
【０００３】
従来、ペダルの踏み込み操作で引き出しが押し出されるようにした「キャビネットの引き出し」が知られている（特許文献１）。具体的には、キャビネットの側板の内面に、ローラ他を設け、引き出しに前記ローラと当接する傾斜面を有するカム板を昇降可能に設けていた（特許文献２の段落番号「００１３」及び「００１４」、並びに、図１及び図２参照）。
【先行技術文献】
【特許文献】
【０００４】
【特許文献１】特許第5202322号公報
【特許文献２】特許第3593339号公報
【発明の概要】
【発明が解決しようとする課題】
【０００５】
しかし、上記した前者の従来の「アシスト付き引き出し装置」（特許文献１）では、引き出しを押し出すのに、モータやスプリング等の駆動手段を必要とするので、機構が複雑で大掛かりになるという第１の問題点があった。
【０００６】
これに対し、上記した後者の従来の「キャビネットの引き出し」（特許文献２）は、モータやスプリング等の駆動手段を必要としないが、ペダルの踏み込みストロークと、引き出し量とが関連性を持っているため、図２６〜２９に示すように、ペダル(*11)の踏み込みストローク(*S1,S3)を短くすると、所要の引き出し量(*S2)を確保するにはローラ(*12)の接するカム板(*7)の傾斜面(*8)の角度を緩やかにしなければならず踏み込み荷重が大きくなるという第２の問題点があった。
そこで、各請求項にそれぞれ記載された各発明は、上記した従来の技術の有する第１及び第２の問題点に鑑みてなされたものであり、その目的とするところは、次の点にある。
【０００７】
（請求項１）
請求項１に記載の発明は、次の点を目的とする。
すなわち、請求項１に記載の発明は、高齢者に優しく、かがみ込みが不要で、小荷重の踏み込みで必要な引き出し量の確保が可能なアシスト機構付き引き出しを提供することができるようにしたものである。
【０００８】
（請求項２）
請求項２に記載の発明は、次の点を目的とする。
すなわち、請求項２に記載の発明は、高齢者に優しく、かがみ込みが不要で、小荷重の踏み込みで必要な引き出し量の確保が可能であるばかりでなく、引き込み機構により引き出しを収納する際にも補助することができるようにしたものである。
【０００９】
（請求項３）
請求項３に記載の発明は、上記した請求項１又は請求項２に記載の発明の目的に加え、次の点を目的とする。
すなわち、請求項３に記載の発明は、引き出しの鏡板と固定枠体の側板間に設けられることで、薄型コンパクトに構成することができるようにしたものである。
【００１０】
（請求項４）
請求項４に記載の発明は、上記した請求項１〜３のいずれか１項に記載の発明の目的に加え、次の点を目的とする。
すなわち、請求項４に記載の発明は、押し出しの第１段階では屈曲部にて押し出し荷重を、第２段階ではアーム端部で押し出し、長い押し出しストローク量を確保することができるようにしたものである。
また、請求項４に記載の発明によれば、屈曲部とアーム端部とをそれぞれ押圧曲面とすることで、アーム当接時の摩擦を低減し、引き出しをスムーズに押し出すことができる。
【００１１】
なお、上記した前者の従来の「アシスト付き引き出し装置」の段落「００４８」には、「前記作用アーム７２は引き出し３の背面板３０に接する押圧曲面７２ｂを有している。この押圧曲面７２ｂは、作用アーム７２が旋回して引き出し３を閉止位置から押し出すにつれ、背面板３０に対して転がりながら接触する。図１２に示す引き出し３の閉止位置において、前記接触域は作用アーム７２の旋回中心となる回転軸７１の近傍に位置しているが、作用アーム７２が矢線Ｂ方向に旋回して引き出し３を固定枠体２から押し出すにつれ、前記接触域は作用アーム７２の先端部７２ａに接近していくように構成されている。」との記載がある（同公報の図１２及び図１３Ａ〜１３Ｃ参照）。
【００１２】
しかし、従来の「アシスト付き引き出し装置」では、「押圧曲面７２ｂ」が連続して形成されているので、当該「押圧曲面７２ｂ」が「引き出し３の背面板３０」に連続して当接するため、摩擦抵抗が大きく、「作用アーム７２」の回転トルクが増加するという問題点がある。
これに対し、請求項４に記載の発明によれば、屈曲部とアーム端部との２箇所を押圧曲面とすることで、従来の「アシスト付き引き出し装置」に比較し、アーム当接時の摩擦を一層、低減できるという利点を有する。
【００１３】
（請求項５）
請求項５に記載の発明は、上記した請求項４に記載の発明の目的に加え、次の点を目的とする。
すなわち、請求項５に記載の発明は、屈曲部とアーム端部とに回動ローラが設けることで、回動ローラの回転により、アーム当接時の摩擦を一層、低減でき、引き出しをスムーズに押し出すことができるようにしたものである。
【００１４】
（請求項６）
請求項６に記載の発明は、上記した請求項１〜５のいずれか１項に記載の発明の目的に加え、次の点を目的とする。
すなわち、請求項６に記載の発明は、リンク機構やギアの組み合わせ機構を使用し、ペダル踏み込みの操作を作動アームの旋回の動きに駆動力伝達機構により変換することができるようにしたものである。
【課題を解決するための手段】
【００１５】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
【００１６】
（請求項１）
請求項１に記載の発明は、次の点を特徴とする。
第１に、例えば図２に示すように、次の構成から構成されている。
（１）固定枠体(20)
（２）引き出し(30)
引き出し(30)は、例えば図２に示すように、固定枠体(20)に収納されるものである。
（３）スライド手段(40)
スライド手段(40)は、引き出し(30)を固定枠体(20)に対して進退自在に支承するものである。
（４）アシスト機構(60)
アシスト機構(60)は、ペダル踏み込みの操作（例えばペダル50参照）により、引き出し(30)を固定枠体(20)から押し出すものである。
【００１７】
第２に、アシスト機構(60)は、例えば図１及び図５に示すように、次の構成から構成されている。
（５）作動アーム(110)
作動アーム(110)は、引き出し(30)の前方又は、固定枠体(20)の前方のいずれか一方に設けられ、軸支されるとともに、旋回しながら引き出し(30)の前方又は、固定枠体(20)の前方のいずれか他方を押圧するものである。
（６）駆動力伝達機構(120)
駆動力伝達機構(120)は、ペダル踏み込みの操作により作動アーム(110)を旋回させるものである。
【００１８】
第３に、作動アーム(110)の先端部は、例えば図１及び図１３〜１５に示すように、引き出し(30)を閉止位置からアシスト機構(60)によって押し出すにつれ、固定枠体(20)との接触領域が作動アーム(110)の旋回中心から遠ざかっていくようにした。
【００１９】
（請求項２）
請求項２に記載の発明は、上記した請求項１に記載の発明の特徴点に加え、次の点を特徴とする。
第１に、例えば図２に示すように、次の構成から構成されている。
（１）固定枠体(20)
（２）引き出し(30)
引き出し(30)は、例えば図２に示すように、固定枠体(20)に収納されるものである。
（３）スライド手段(40)
スライド手段(40)は、引き出し(30)を固定枠体(20)に対して進退自在に支承するものである。
（４）アシスト機構(60)
アシスト機構(60)は、ペダル踏み込みの操作（例えばペダル50参照）により、引き出し(30)を固定枠体(20)から押し出すものである。
【００２０】
第２に、固定枠体(20)と引き出し(30)との間には、例えば図１６又は図１７に示すように、引き出し(30)が固定枠体(20)に収納される直前に、引き出し(30)を固定枠体(20)の収納方向に後退させる引き込み機構(200)を備える。
【００２１】
第３に、アシスト機構(60)は、例えば図１及び図５に示すように、次の構成から構成されている。
（５）作動アーム(110)
作動アーム(110)は、引き出し(30)の前方又は、固定枠体(20)の前方のいずれか一方に設けられ、軸支されるとともに、旋回しながら引き出し(30)の前方又は、固定枠体(20)の前方のいずれか他方を押圧するものである。
（６）駆動力伝達機構(120)
駆動力伝達機構(120)は、ペダル踏み込みの操作により作動アーム(110)を旋回させるものである。
第４に、作動アーム(110)は、図示しないが、引き込み機構(200)の作動領域においては、軸支部に近い位置で押し出し、その後、軸支部から徐々に遠い位置で押し出すようにした。
【００２２】
（請求項３）
請求項３に記載の発明は、上記した請求項１又は請求項２に記載の発明の特徴点に加え、次の点を特徴とする。
すなわち、アシスト機構(60)は、例えば図１に示すように、引き出し(30)の前方の鏡板裏又は、図示しないが、固定枠体(20)の前方の側板のいずれか一方に設けられ、他方を押し出すように構成された。
【００２３】
（請求項４）
請求項４に記載の発明は、上記した請求項１〜３のいずれか１項に記載の発明の特徴点に加え、次の点を特徴とする。
第１に、作動アーム(110)には、例えば図９に示すように、長さの途中に屈曲部(113)を備る。
第２に、屈曲部(113)と、当該屈曲部(113)をはさんで軸支部（例えば第１軸孔114）と反対側に位置するアーム端部（例えば先端部112）が、押圧曲面（例えば第１、第２ローラ160,161）とされている。
【００２４】
（請求項５）
請求項５に記載の発明は、上記した請求項１〜４のいずれか１項に記載の発明の特徴点に加え、次の点を特徴とする。
すなわち、アーム端部（例えば先端部112）と屈曲部(113)には、例えば図１及び図５に示すように、回動ローラ(160,161)が設けられた。
【００２５】
（請求項６）
請求項６に記載の発明は、上記した請求項１〜５のいずれか１項に記載の発明の特徴点に加え、次の点を特徴とする。
すなわち、駆動力伝達機構(120)は、ペダル踏み込みの操作を、例えば図５に示すように、作動アーム(110)の旋回の動きに変換するリンク機構（例えば第１、第２リンク140,141）又は、図示しないが、ギアの組み合わせ機構から構成している。
【発明の効果】
【００２６】
本発明は、以上のように構成されているので、以下に記載されるような効果を奏する。
（請求項１）
請求項１に記載の発明によれば、次のような効果を奏する。
すなわち、請求項１に記載の発明によれば、高齢者に優しく、かがみ込みが不要で、小荷重の踏み込みで必要な引き出し量の確保が可能なアシスト機構付き引き出しを提供することができる。
【００２７】
（請求項２）
請求項２に記載の発明によれば、次のような効果を奏する。
すなわち、請求項２に記載の発明によれば、高齢者に優しく、かがみ込みが不要で、小荷重の踏み込みで必要な引き出し量の確保が可能であるばかりでなく、引き込み機構により引き出しを収納する際にも補助することができる。
【００２８】
（請求項３）
請求項３に記載の発明によれば、上記した請求項１又は請求項２に記載の発明の効果に加え、次のような効果を奏する。
すなわち、請求項３に記載の発明によれば、引き出しの鏡板と固定枠体の側板間に設けられることで、薄型コンパクトに構成することができる。
【００２９】
（請求項４）
請求項４に記載の発明によれば、上記した請求項１〜３のいずれか１項に記載の発明の効果に加え、次のような効果を奏する。
すなわち、請求項４に記載の発明によれば、押し出しの第１段階では屈曲部にて押し出し荷重を、第２段階ではアーム端部で押し出し、長い押し出しストローク量を確保することができる。
また、請求項４に記載の発明によれば、屈曲部とアーム端部とをそれぞれ押圧曲面とすることで、アーム当接時の摩擦を低減し、引き出しをスムーズに押し出すことができる。
【００３０】
（請求項５）
請求項５に記載の発明によれば、上記した請求項４に記載の発明の効果に加え、次のような効果を奏する。
すなわち、請求項５に記載の発明によれば、屈曲部とアーム端部とに回動ローラが設けることで、回動ローラの回転により、アーム当接時の摩擦を一層、低減でき、引き出しをスムーズに押し出すことができる。
【００３１】
（請求項６）
請求項６に記載の発明によれば、上記した請求項１〜５のいずれか１項に記載の発明の効果に加え、次のような効果を奏する。
すなわち、請求項６に記載の発明によれば、リンク機構やギアの組み合わせ機構を使用し、ペダル踏み込みの操作を作動アームの旋回の動きに駆動力伝達機構により変換することができる。
【図面の簡単な説明】
【００３２】
【図１】アシスト機構の動作を説明するための説明図である。
【図２】キャビネットの概略斜視図を説明するためのものであり、同図（ａ）は引き出しの収納状態を示し、同図（ｂ）はアシスト機構を用いて引き出しを少し引き出した状態を示すものである。
【図３】キャビネットの概略透過斜視図である。
【図４】ペダルとアシスト機構との連結状態を説明するための正面図である。
【図５】アシスト機構の概略分解斜視図である。
【図６】カバーの概略斜視図である。
【図７】ケースの概略斜視図である。
【図８】スライダの概略斜視図である。
【図９】作動アームの概略斜視図である。
【図１０】第１リンクの概略斜視図である。
【図１１】第２リンクの概略斜視図である。
【図１２】ローラの概略斜視図である。
【図１３】図１に対応し、ペダルの踏み込み初期の状態の説明図である。
【図１４】図１３に続き、ペダルを更に踏み込み、第１ローラで側板を押圧した状態の説明図である。
【図１５】図１４に続き、ペダルを更に踏み込み、第２ローラに切り替わって側板を押圧した状態の説明図である。
【図１６】本発明の第２の実施の形態を示し、引き込み機構の原理を説明する説明図である。
【図１７】本発明の第３の実施の形態を示し、引き込み機構の原理を説明する説明図である。
【図１８】本発明の第４の実施の形態を示し、アシスト機構の概略分解斜視図である。
【図１９】本発明の第４の実施の形態を示し、アシスト機構の動作を説明するための説明図である。
【図２０】本発明の第４の実施の形態を示し、作動アームに３種類の先端部材を取り付けた状態を説明するための説明図である。
【図２１】本発明の第５の実施の形態を示し、アシスト機構の周囲の概略側面図である。
【図２２】本発明の第５の実施の形態を示し、図２１の一部の概略横断面図である。
【図２３】本発明の第５の実施の形態を示し、図２２のＡ部の概略拡大図である。
【図２４】本発明の第６の実施の形態を示し、アシスト機構の周囲の概略側面図である。
【図２５】本発明の第７の実施の形態を示し、アシスト機構の周囲の概略側面図である。
【図２６】特許文献２の説明図である。
【図２７】特許文献２の説明図であり、図２６に対応し、ペダルを踏み込んだ状態を示すものである。
【図２８】特許文献２の説明図であり、図２６と比較し、ペダルの踏み込みストローク量を減少したものである。
【図２９】特許文献２の説明図であり、図２８に対応し、ペダルを踏み込んだ状態を示すものである。
【発明を実施するための形態】
【００３３】
（キャビネット10）
図２中、10は、キャビネットを示すものである。
キャビネット10は、図２に示すように、大別すると、次のパーツを備える。
（１）固定枠体20
固定枠体20は、前面が少なくとも開放された箱形に形成されている。
（２）引き出し30
引き出し30は、固定枠体20に収納されるものである。
なお、キャビネット10を例示したが、これに限定されず、引き出しを有する机、タンス、クロゼット等から構成してもよい。
【００３４】
引き出し30は、上下二段に形成され、上段の引き出し30aと、下段の引き出し30bとから構成されている。
なお、引き出し30を上下二段に形成したが、これに限定されず、一段或いは三段以上としてもよい。
固定枠体20と引き出し30との間には、スライド手段40が設けられている。
スライド手段40は、引き出し30を固定枠体20に対して進退自在に支承するものである。
【００３５】
具体的には、スライド手段40は、固定枠体20の側板21の内側面に設けられたガイドレール41と、当該ガイドレール41に沿ってスライドする、引き出し30の外側面に設けられたスライドレール42とから構成される。
なお、スライド手段40を、ガイドレール41及びスライドレール42から構成したが、これに限定されず、レールとこれに沿って回転するローラとから構成してもよい。
【００３６】
（アシスト機構60）
下段の引き出し30bには、図１〜４に示すように、大別すると、次のパーツを備える。
なお、次の（１）及び（２）については後述する。
（１）ペダル50
（２）アシスト機構60
なお、引き出し30bを、上記した（１）及び（２）から構成したが、これに限定されず、図１６及び図１７を用いて後述する引き込み機構200を備えていてもよい。
【００３７】
（ペダル50）
ペダル50は、図１〜４に示すように、踏み込みの操作が可能なものであり、引き出し30bに対して昇降可能に支持されている。ペダル50は、引き出し30bの鏡板31の下部或いは下側であって、引き出し30bの左右の幅方向の略中央に位置する。
【００３８】
（アシスト機構60）
アシスト機構60は、図１及び図１３〜１５に示すように、ペダル50の踏み込みの操作により、引き出し30bを固定枠体20から押し出すものである。
アシスト機構60は、図２〜４に示すように、引き出し30bの左右両側に一対設けられ、引き出し30bの鏡板31の裏側に固定され、図４において向かって左側に位置する左側アシスト機構60aと、右側に位置する右側アシスト機構60bとから構成されている。左側、右側アシスト機構60a,60bの中間に、ペダル50が位置し、ペダル50とは連結部材70で連結されている。
【００３９】
アシスト機構60は、図５に示すように、大別すると、次のパーツを備える。
なお、次の（１）〜（６）については後述する。
（１）カバー80
（２）ケース90
（３）スライダ100
（４）作動アーム110
（５）駆動力伝達機構120
（６）復帰バネ130
なお、アシスト機構60を、上記した（１）〜（６）から構成したが、これに限定されず、駆動力伝達機構120を、図示しないが、ペダル50の踏み込みの操作を、作動アーム110の旋回の動きに変換するギアの組み合わせ機構から構成してもよい。
【００４０】
（カバー80）
カバー80は、引き出し30bに固定されるものであり、引き出し30bの引き出し30bの鏡板31の裏側に固定される。カバー80は、適度な剛性を有する熱可塑性樹脂、例えばＡＢＳ樹脂で一体成形されている。なお、カバー80の材質として、ＡＢＳ樹脂を例示したが、これに限定されず、金属製としてもよい。
【００４１】
カバー80は、図６に示すように、大別すると、次の各部を備える。
（１）取付部81
取付部81は、カバー80の上部に位置し、フック型に突出し、引き出し30bの側板の上縁部又はパイプ部（ギャラリーバー）に引っ掛け、図示しないがネジ等を使用して固定される。
（２）切欠部82
切欠部82は、カバー80の下部に位置し、下端から高さの途中まで延び、「コ字」ないしは「矩形」に切り欠かれ、後述するスライダ100の連結部102の上下動を許容するためのものである。
【００４２】
（ケース90）
ケース90は、カバー80に向かって側面が開放した箱形に形成され、カバー80にネジ等を使用して固定される。ケース90は、適度な剛性を有する熱可塑性樹脂、例えばＰＣ樹脂（ポリカーボネート樹脂で一体成形されている。なお、ケース90の材質として、ＰＣ樹脂を例示したが、これに限定されず、金属製としてもよい。
【００４３】
ケース90は、図７に示すように、大別すると、次の各部を備える。
（１）第１突軸91
第１突軸91は、ケース90の内側面からカバー80に向かってピン状に突出する。第１突軸91は、駆動力伝達機構120の後述する第１リンク140の第１軸孔141にはまり込み、第１リンク140は第１突軸91により回転可能に支持される。
（２）第２突軸92
第２突軸92は、第１突軸91の斜め下側に位置し、第１突軸91と同様にピン状に突出する。第２突軸92は、駆動力伝達機構120の後述する第２リンク150の第２軸孔151にはまり込み、第２リンク150は第２突軸92により回転可能に支持される。
（３）バネ収納部93
バネ収納部93は、第１突軸91の直下に位置し、復帰バネ130がはまり込むものである。
（４）バネガイド突起94
バネガイド突起94は、バネ収納部93の底から上方に向かって延び、復帰バネ130の下端部にはまり込むものである。
【００４４】
（スライダ100）
スライダ100は、カバー80とケース90との間に上下動可能に支持され、ペダル50に連結部材70を介して連結される。スライダ100は、適度な剛性を有する熱可塑性樹脂、例えばＰＡ６６（ポリアミド６６）樹脂で一体成形されている。なお、スライダ100の材質として、ＰＡ６６樹脂を例示したが、これに限定されず、金属製としてもよい。
【００４５】
スライダ100は、図８に示すように、大別すると、次の各部を備える。
（１）本体部101
本体部101は、上下に長く延び、作動アーム110、駆動力伝達機構120及び復帰バネ130と連結される。
（２）連結部102
連結部102は、本体部101の下端部に位置し、連結部材70の一端部がはめ込まれ、当該連結部材70を介してペダル50と連結される。
本体部101には、大別すると、次の各部を備える。
（３）第１溝103
第１溝103は、上下に長く延び、ケース90の第１突軸91が通り抜ける。第１溝103を通り抜けた第１突軸91の突出端は、駆動力伝達機構120の後述する第１リンク140の第１軸孔141にはまり込み、第１リンク140は第１突軸91により回転可能に支持される。また、第１突軸91は、第１溝103に沿って相対的に上下動する。
【００４６】
（４）第２溝104
第２溝104は、第１溝103の斜め下側に位置し、上下に長く延び、ケース90の第２突軸92が通り抜ける。第２溝104を通り抜けた第２突軸92の突出端は、駆動力伝達機構120の後述する第２リンク150の第２軸孔151にはまり込み、第２リンク150は第２突軸92により回転可能に支持される。また、第２突軸92は、第２溝104に沿って相対的に上下動する。
（５）第３溝105
第３溝105は、第１溝103の横に位置し、横に長く延び、駆動力伝達機構120の後述する第１リンク140の第１突軸142がはまり込む。第１突軸142は、第３溝105に沿って横方向に移動する。
（６）バネガイド突起106
バネガイド突起106は、第１溝103の直下に位置し、下方に向かって延び、復帰バネ130の上端部にはまり込むものである。
【００４７】
（作動アーム110）
作動アーム110は、引き出し30の前方又は、固定枠体20の前方のいずれか一方に設けられ、軸支されるとともに、旋回しながら引き出し30の前方又は、固定枠体20の前方のいずれか他方を押圧するものである。作動アーム110は、適度な剛性を有する熱可塑性樹脂、例えばＰＢＴ樹脂（ポリブチレンテレフタレート樹脂）で一体成形されている。なお、作動アーム110の材質として、ＰＢＴ樹脂を例示したが、これに限定されず、金属製としてもよい。
【００４８】
作動アーム110は、図９に示すように、大別すると、次の各部を備える。
（１）基部111
基部111は、作動アーム110の一端部に位置する。
（２）先端部112
先端部112は、作動アーム110の他端部に位置する。
（３）屈曲部113
屈曲部113は、基部111と先端部112と間に位置し、くの字形ないしはＶ字形に屈曲している。屈曲部113は、基部111からの距離に比較し、先端部112までの距離を長く設定している。
基部111は、次の各部を備える。
【００４９】
（４）第１軸孔114
第１軸孔114は、駆動力伝達機構120の後述する第１リンク140の第１突軸142がはまり込み、作動アーム110は第１突軸142に旋回可能に支持される。
基部111と屈曲部113との間には、次の各部を備える。
（５）第２軸孔115
第２軸孔115は、スリットを両側からはさむように第１軸孔114の反対側に設けられる。当該スリット内には、駆動力伝達機構120の後述する第２リンク150がはまり込む構造となっている。そして、第２リンク150の第２突軸152が、第２軸孔115に回転可能にはまり込む。
【００５０】
屈曲部113には、次の各部を備える。
（６）第１ローラ取付部116
第１ローラ取付部116は、スリットをはさんで一対形成されている。当該スリットには、第１ローラ160がはまり込み構造となっている。このとき、第１ローラ160の両側から突出する突軸が第１ローラ取付部116にそれぞれはまり込むことで、回転可能に支持される。第１ローラ160は、取付状態において、屈曲部113から固定枠体20に向かって横に突出し、当該固定枠体20を押圧する押圧曲面となっている。
先端部112には、次の各部を備える。
【００５１】
（７）第２ローラ取付部117
第２ローラ取付部117は、スリットをはさんで一対形成されている。当該スリットには、第２ローラ161がはまり込み構造となっている。このとき、第２ローラ161の両側から突出する突軸が第２ローラ取付部117にそれぞれはまり込むことで、回転可能に支持される。第２ローラ161は、取付状態において、先端部112から固定枠体20に向かって横に突出し、当該固定枠体20を押圧する押圧曲面となっている。
【００５２】
（駆動力伝達機構120）
駆動力伝達機構120は、ペダル50の踏み込みの操作により作動アーム110を旋回させるものである。
駆動力伝達機構120は、図５に示すように、大別する、次のパーツを備える。
なお、次の（１）及び（２）については後述する。
（１）第１リンク140
（２）第２リンク150
なお、駆動力伝達機構120を、上記した第１、第２リンク140,150から構成されたリンク機構から構成したが、これに限定されず、駆動力伝達機構120を、図示しないが、ペダル50の踏み込みの操作を、作動アーム110の旋回の動きに変換するギアの組み合わせ機構から構成してもよい。
【００５３】
（第１リンク140）
第１リンク140は、作動アーム110の基部111を旋回可能に支持するためのものである。第１リンク140は、適度な剛性を有する熱可塑性樹脂、例えばＰＯＭ樹脂（ポリアセタール、アセタール樹脂）で一体成形されている。なお、第１リンク140の材質として、ＰＯＭ樹脂を例示したが、これに限定されず、金属製としてもよい。
【００５４】
第１リンク140は、図１０に示すように、大別すると、次の各部を備える。
（１）第１軸孔141
第１軸孔141は、第１リンク140の一端部に位置し、スライダ100の第１溝103を通り抜けたケース90の第１突軸91の突出端がはまり込み、第１リンク140は第１突軸91により回転可能に支持される。
（２）第１突軸142
第１突軸142は、第１リンク140の他端部に位置し、その厚み方向の両側からそれぞれ突出する。厚み方向の突出する一端部は、軸状に突出し、作動アーム110の第１軸孔114に回転可能にはまり込み、作動アーム110の基部111を旋回可能に支持する。厚み方向の突出する一端部は、略Ｔ字形に突出し、スライダ100の第３溝105にはまり込み、当該第３溝105に沿って横方向に相対的に移動する。
【００５５】
（第２リンク150）
第２リンク150は、第２リンク150と比較し、全長が長く形成され、作動アーム110の長さの途中を回転可能に支持される。第２リンク150は、第１リンク140と同様に、適度な剛性を有する熱可塑性樹脂、例えばＰＯＭ樹脂（ポリアセタール、アセタール樹脂）で一体成形されている。なお、第２リンク150の材質として、ＰＯＭ樹脂を例示したが、これに限定されず、金属製としてもよい。
【００５６】
第２リンク150は、図１１に示すように、大別すると、次の各部を備える。
（１）第２軸孔151
第２軸孔151は、第２リンク150の一端部に位置し、スライダ100の第２溝104を通り抜けたケース90の第２突軸92の突出端がはまり込み、第２リンク150は第２突軸92により回転可能に支持される。
（２）第２突軸152
第２突軸152は、第２リンク150の一端部に位置し、作動アーム110の第２軸孔115に回転可能にはまり込む。
【００５７】
（復帰バネ130）
復帰バネ130は、踏み込まれたペダル50を復帰させるためのものであり、コイルスプリングより構成される。なお、復帰バネ130として、コイルスプリングを例示したが、これに限定されず、板バネ等から構成してもよい。
【００５８】
復帰バネ130は、ケース90のバネ収納部93に収納され、その底から突出するバネガイド突起94に下端部を差し、上端部をスライダ100のバネガイド突起106に差し、スライダ100が下降する際に、ケース90との間で圧縮される。このため、復帰バネ130のバネ力は、連結部材70を介してペダル50に作用し、ペダル50は上昇した状態に付勢される。
【００５９】
（アシスト機構60の動作）
つぎに、組み立てキャビネット10に組み付けたアシスト機構60の動作について、図１及び図１３〜１５を用いて説明する。
まず、下段の引き出し30bが閉じた状態において開くには、ペダル50を踏み込めばよい。
【００６０】
ペダル50を踏み込むと、図１３及び図１４に示すように、作動アーム110が第１リンク140の第１突軸142を中心に旋回し、その屈曲部113がケース90内から固定枠体20に向かって突出する。その際に、作動アーム110の屈曲部113に支持された第１ローラ160が固定枠体20を押圧することで、引き出し30bが固定枠体20から押し出される。
【００６１】
押圧力の原理を説明するために、ペダル50の踏み込み力を「５０Ｎ」と仮定した場合のベクトルを、図１３及び図１４に図示したように、ペダル50を踏み込み量の増加に伴って第１ローラ160の箇所におけるベクトルが「小」から「大」に移行する。
【００６２】
なお、その際に、第１リンク140の第１突軸142が、スライダ100の第３溝105に沿って固定枠体20に接近する方向に移動する。ケース90の第１突軸91は、スライダ100が下降することで、第１溝103を相対的に上昇する。ケース90の第２突軸92も、同様に、スライダ100の第２溝104を相対的に上昇する。
【００６３】
ペダル50を更に踏み込むと、図１及び図１５に示すように、作動アーム110が第１リンク140の第１突軸142を中心に更に旋回し、その先端部112がケース90内から固定枠体20に向かって突出する。その際に、作動アーム110の先端部112に支持された第２ローラ161が固定枠体20を押圧することで、引き出し30bが固定枠体20から更に押し出される。
【００６４】
押圧力の原理を説明するために、ペダル50の踏み込み力を「５０Ｎ」と仮定した場合のベクトルを、図１及び図１５に図示したように、ペダル50を踏み込み量の増加に伴って第２ローラ161の箇所におけるベクトルが「小」から「大」に移行する。
【００６５】
なお、その際に、第１リンク140の第１突軸142が、スライダ100の第３溝105に沿って固定枠体20に接近する方向に更に移動する。ケース90の第１突軸91は、スライダ100が更に下降することで、第１溝103を相対的に更に上昇する。ケース90の第２突軸92も、同様に、スライダ100の第２溝104を相対的に更に上昇する。
その後、ペダル50の踏み込み荷重を下方向から手前方向に切り替え、足を引き込むことで、固定枠体20から押し出された引き出し30bを開放することができる。この後、ペダル50の踏み込み荷重を開放すると、復帰バネ130の圧縮復元力により、ペダル50が上昇して復帰する。
【００６６】
（図１６に示す第２の実施の形態）
つぎに、図１６を用いて、本発明の第２の実施の形態について説明する。
本実施の形態の特徴は、図１〜１５を用いて先に説明した第１の実施の形態に、引き出し30の引き込み機構200を設けた点である。
引き込み機構200は、固定枠体20と引き出し30との間に設けられ、引き出し30が固定枠体20に収納される直前に、引き出し30を固定枠体20の収納方向に後退させるものである。
具体的には、引き込み機構200として、引張りバネ210を設け、当該引張りバネ210のバネ力を使用し、固定枠体20に収納される直前に引き出し30を引き込んでいる。
【００６７】
これに対し、固定枠体20に収納された引き出し30を引き出す際に、引張りバネ210に抗して引き出し30を引き出し、このときバネ力を蓄積している。その後、引き出し30をある程度、引き出すと、引き込み機構200の作動領域を外れ、バネ力が作用しなくなり、引き出し30を比較的、軽い力で引き出すことができる。
【００６８】
このため、本実施の形態では、引き込み機構200と、第１の実施の形態で説明したアシスト機構60とを組み合わせ、当該アシスト機構60の作動アーム110を、引き込み機構200の作動領域においては、軸支部に近い位置、すなわち作動アーム110の屈曲部113に支持された第１ローラ160で押し出し、その後、軸支部から徐々に遠い位置、すなわち作動アーム110の先端部112に支持された第２ローラ161で押し出すように構成している。
【００６９】
したがって、本実施の形態によれば、引き込み機構200を追加したことによる、引き出し30の初期の引き出し時の引き出し力の増加を、アシスト機構60により打ち消し、或いは減少することができる利点がある。
【００７０】
（図１７に示す第３の実施の形態）
つぎに、図１７を用いて、本発明の第３の実施の形態について説明する。
本実施の形態の特徴は、図１６を用いて先に説明した本発明の第２の実施の形態の引張りバネ210に代えて、図１７に示すように、レール220の傾斜部221を利用して、固定枠体20に収納される直前に引き出しを引き込むようにしている点である。
【００７１】
すなわち、レール220を、図示しないが、固定枠体側に固定し、当該レール220上を転がるローラ230を引き出し側に取り付ける。レール220には、固定枠体の奥側に下り傾斜した傾斜部221を設けている。
【００７２】
本実施の形態では、引き出しを固定枠体に収納する直前に、ローラ230が傾斜部221に達し、当該傾斜部221の下り傾斜により、固定枠体の奥側に向かって転がり落ちる。このとき、引き出しの引き込み力が発生し、当該力により引き出しが固定枠体20の収納方向に引き込まれる。
【００７３】
これに対し、固定枠体に収納された引き出しを引き出す際に、ローラ230が傾斜部221を登ることとなるので、引き出しを引き出す力が増加する。その後、ローラ230が傾斜部221を登り切ると、レール22が平坦となるので、引き出しを比較的、軽い力で引き出すことができる。
【００７４】
このため、本実施の形態では、レール220とローラ230とから構成した引き込み機構200と、第１の実施の形態で説明したアシスト機構60とを組み合わせ、当該アシスト機構60の作動アーム110を、引き込み機構200の作動領域においては、軸支部に近い位置、すなわち作動アーム110の屈曲部113に支持された第１ローラ160で押し出し、その後、軸支部から徐々に遠い位置、すなわち作動アーム110の先端部112に支持された第２ローラ161で押し出すように構成している。
【００７５】
したがって、本実施の形態によれば、引き込み機構200を追加したことによる、引き出し30の初期の引き出し時の引き出し力の増加を、アシスト機構60により打ち消し、或いは減少することができる利点がある。
【００７６】
（図１８〜２０に示す第４の実施の形態）
つぎに、図１８〜２０を用いて、本発明の第３の実施の形態について説明する。
本実施の形態の特徴は、作動アーム300の全長を長短できるようにした点である。
作動アーム300の先端部に、全長の異なる複数種類、例えば３種類の先端部材310,310a,310bを連結することで、作動アーム300の全長を長短できるようにしている。
なお、先端部材310,310a,310bを、３種類設けたが、これに限定されず、２種類或いは４種類以上設けてもよい。
【００７７】
作動アーム300の先端部と、先端部材310の基端部との間には、互いにはまり合う凹凸部の一方をそれぞれ設けている。作動アーム300の先端部には、連結凹部301を設け、当該連結凹部301とはまり合う連結凸部311を先端部材310の基端部に設けている。先端部材310の先端部には、固定枠体20側を押圧するローラ320を設けている。
なお、作動アーム300に連結凹部301を設け、先端部材310に連結凸部311を設けたが、これに限定されず、逆に設けてもよい。
また、本実施の形態では、作動アーム300にローラ320を１個しか設けていない点で、図１〜１５を用いて先に説明した第１の実施の形態と相違する。
さらに、本実施の形態の説明においては、第１の実施の形態と同様の構成部分については、同一の符号を用いて説明を省略する。
【００７８】
したがって、本実施の形態によれば、作動アーム300の全長を長短できる利点がある。本実施の形態の作動アーム300と同様に、第１の実施の形態の作動アーム110を二部材から構成し、作動アーム110の全長を長短できるようにしてもよい。
【００７９】
（図２１〜２３に示す第５の実施の形態）
図２１〜２３を用いて、本発明の第５の実施例について説明する。
本実施の形態の特徴は、固定枠体20の側板21に、アシスト機構60の作動アーム110の第１、第２ローラ160,161の当接位置に沿って、レシーバ400を設け、当該レシーバ400にローラ160,161が一部はまり込む、横ズレ防止用の凹部410を設けた点である。
凹部410は、上下に延びた溝状に形成され、断面が略Ｖ字形に凹んでいる。なお、凹部410の断面形状として、略Ｖ字形を例示したが、これに限定されず、略Ｕ字形、矩形或いは半円形に凹ませても良い。
【００８０】
まず、ペダル50の踏み込み時に、第１ローラ160が凹部410内に一部はまり込み、当該凹部410内にはまり込んだ状態で回転しながら案内され、その後、ペダル50を更に踏み込むと、第２ローラ160に切り替わり、第２ローラ160が凹部410内に一部はまり込み、当該凹部410内にはまり込んだ状態で回転しながら案内される。
本実施の形態によれば、横ズレ防止用の凹部410により、第１、第２ローラ160,161の横ズレを防止することができる。特に、先に図１〜１５を用いて先に説明した第１の実施の形態に好適である。
なお、本実施の形態の説明においては、第１の実施の形態と同様の構成部分については、同一の符号を用いて説明を省略する。
【００８１】
（図２４に示す第６の実施の形態）
図２４を用いて、本発明の第５の実施例について説明する。
本実施の形態の特徴は、図１〜１５を用いて先に説明した第１の実施の形態の第１、第２ローラ160,161の２個に比較し、アシスト機構60の作動アーム110のローラの個数を、増加、例えば第１〜第３ローラ500〜520の３個に増加した点である。
すなわち、作動アーム110の屈曲部113に、第１ローラ500を、先端部112に第２ローラ510を、先端部112と屈曲部113との間に第３ローラ520をそれぞれ設けた点である。
【００８２】
本実施の形態によれば、ペダル50の踏み込み量を増加させると、第１ローラ500、第３ローラ520、第２ローラ510の順に、固定枠体20の側板21に設けたレシーバ400に当接し、当該側板21を押圧する。本実施の形態によれば、押し出し荷重を３種類に設定でき、又、切り替えをスムーズに行うことができる。
なお、ローラ500〜520の個数として、３個を例示したが、これに限定されず、４個以上設けてもよい。すなわち、ローラ500〜520の個数を増加するほど、押し出し荷重の設定の種類を増加できるほか、切り替えがスムーズに行える利点がある。
なお、本実施の形態においても、先に図２１〜２３を用いて本発明の第５の実施例で説明した凹部410を設けたレシーバ400があり、第１〜第３ローラ500〜520は凹部410により横ズレが防止される。また、本実施の形態の説明においては、第１の実施の形態と同様の構成部分については、同一の符号を用いて説明を省略する。
【００８３】
（図２５に示す第７の実施の形態）
図２４を用いて、本発明の第５の実施例について説明する。
本実施の形態の特徴は、図１〜１５を用いて先に説明した第１の実施の形態の第１、第２ローラ160,161に代えて、作動アーム110を円弧状のカム形状に形成した点である。
作動アーム110は、固定枠体20の側板21に設けたレシーバ400に対向する外側縁を、円弧状のカム形状に形成している。すなわち、作動アーム110の屈曲部113に第１押圧曲面600を形成し、当該第１押圧曲面600に連続させて、屈曲部113から先端部112に向かって第２押圧曲面610を形成している。
【００８４】
本実施の形態によれば、ペダル50の踏み込み時に、第１押圧曲面600がレシーバ400を押圧し、その後、ペダル50を更に踏み込むと、第１押圧曲面600に連続して第２押圧曲面610がレシーバ400を押圧し、第１、第２押圧曲面600,610の切り替えを連続的にしかもスムーズに行うことができる。
なお、本実施の形態においては、先に図２１〜２３を用いて本発明の第５の実施例で説明したレシーバ400に、凹部410を設けてもよいし、或いは省いてもよい。凹部410を設ける際には、これにはまり合う断面凸形状に第１、第２押圧曲面600,610を形成すればよく、これにより、第１、第２押圧曲面600,610の横ズレが防止することも可能である。また、本実施の形態の説明においては、第１の実施の形態と同様の構成部分については、同一の符号を用いて説明を省略する。
【符号の説明】
【００８５】
（第１の実施の形態）
10  キャビネット
20  固定枠体        21  側板
30  引き出し        30a  上段引き出し
30b  下段引き出し    31  鏡板
40  スライド手段
41  ガイドレール    42  スライドレール
50  ペダル          60  アシスト機構
60a  左側アシスト機構    60b  右側アシスト機構
70  連結部材        80  カバー
81  取付部          82  切欠部
90  ケース
91  第１突軸        92  第２突軸
93  バネ収納部      94  バネガイド突起
100  スライダ
101  本体部        102  連結部
103  第１溝        104  第２溝
105  第３溝        106  バネガイド突起
110  作動アーム
111  基部          112  先端部
113  屈曲部        114  第１軸孔
115  第２軸孔      116  第１ローラ取付部
117  第２ローラ取付部  120  駆動力伝達機構
130  復帰バネ      140  第１リンク
141  第１軸孔      142  第１突軸
150  第２リンク
151  第２軸孔      152  第２突軸
160  第１ローラ    161  第２ローラ
（第２の実施の形態）
200  引き込み機構    210  引張りバネ
（第３の実施の形態）
220  レール          221  傾斜部
230  ローラ
（第４の実施の形態）
300  作動アーム      301  連結凹部
310  先端部材        310a  短い先端部材
310b  長い先端部材    311  連結凸部
320  ローラ
（第５の実施の形態）
400  レシーバ        410  凹部
（第６の実施の形態）
500  第１ローラ      510  第２ローラ
520  第３ローラ
（第７の実施の形態）
600  第１押圧曲面    610  第２押圧曲面
【図１】
2016077443.tif 000003
【図２】
2016077443.tif 000004
【図３】
2016077443.tif 000005
【図４】
2016077443.tif 000006
【図５】
2016077443.tif 000007
【図６】
2016077443.tif 000008
【図７】
2016077443.tif 000009
【図８】
2016077443.tif 000010
【図９】
2016077443.tif 000011
【図１０】
2016077443.tif 000012
【図１１】
2016077443.tif 000013
【図１２】
2016077443.tif 000014
【図１３】
2016077443.tif 000015
【図１４】
2016077443.tif 000016
【図１５】
2016077443.tif 000017
【図１６】
2016077443.tif 000018
【図１７】
2016077443.tif 000019
【図１８】
2016077443.tif 000020
【図１９】
2016077443.tif 000021
【図２０】
2016077443.tif 000022
【図２１】
2016077443.tif 000023
【図２２】
2016077443.tif 000024
【図２３】
2016077443.tif 000025
【図２４】
2016077443.tif 000026
【図２５】
2016077443.tif 000027
【図２６】
2016077443.tif 000028
【図２７】
2016077443.tif 000029
【図２８】
2016077443.tif 000030
【図２９】
2016077443.tif 000031